(57)【特許請求の範囲】
【請求項１】
予め登録された2人以上のグループのメンバーに属する1人での単独照合はおこなわず、前記メンバーで任意の組み合わせによる2人が揃って所定の照合をおこなう2人照合機能と、あるエリアに入室した後、退室した記録が無い人の同エリアへの再入室と、前記あるエリアに入室した記録の無い人の同エリアからの退室を禁止するアンチパスバックチェック機能とを備えた入退出管理システムにおいて、
2人照合が承認され、電気錠が開錠した後、電気錠が開錠中で、かつ扉は閉められたままの状態または開かれたままの状態において、前記任意の組み合わせによる2人が入室する前に、前記任意の組み合わせによる2人以外の前記グループに属するメンバーのいずれか1人に該当する3人目が本人であることを確認するための認証操作をおこなうと、前記任意の組み合わせによる2人と前記3人目の3人が共に入室を承認されたとする通行履歴が記録されて、入室できる手段を備えたことを特徴とする入退出管理システム。
【請求項２】
予め登録された2人以上のグループのメンバーに属する1人での単独照合はおこなわず、前記メンバーで任意の組み合わせによる2人が揃って所定の照合をおこなう2人照合機能と、あるエリアに入室した後、退室した記録が無い人の同エリアへの再入室と、あるエリアに入室した記録の無い人の同エリアからの退室を禁止するアンチパスバックチェック機能を備えた入退出管理システムにおいて、
前記任意の組み合わせによる2人のいずれか1人は前記グループに属するメンバーのいずれか1人に該当することを確認するための認証操作をおこない、
もう1人は通行履歴を残さない機能を有効にしてから前記認証操作することで、2人照合が承認され、前記通行履歴を残さない機能を有効にせず、前記認証操作をおこなった1人目が入室した後、前記通行履歴を残さない機能を有効にしてから前記認証操作した2人目が入室する前に、前記任意の組み合わせによる2人以外の前記グループに属するメンバーのいずれか1人に該当する3人目と揃って、再度2人照合をおこなうと、前記任意の組み合わせによる2人と前記3人目の3人が共に入室を承認されたとする通行履歴が記録されて、入室できる手段を備えたことを特徴とする入退出管理システム。
【請求項３】
前記2人照合機能及び前記アンチパスバックチェック機能を備えた入退出管理システムにおいて、前記任意の組み合わせによる2人と前記3人目が共に3人で入室を承認されたとする通行履歴が記録された3人のいずれか2人が、前記2人照合による退室を禁止する手段を備えたことを特徴とする請求項１または請求項２のいずれかに記載の入退出管理システム。
【請求項４】
前記2人照合機能及び前記アンチパスバックチェック機能を備えた入退出管理システムにおいて、前記あるエリアの在室者が残り5人以上いるとき、前記在室者のいずれか2人の前記2人照合が承認され、電気錠が開錠した後、電気錠が開錠中で、かつ扉は閉められたままの状態または開かれたままの状態において、前記2人照合が承認された2人が退室する前に、2人照合がおこなわれていない前記在室者のいずれか1人の3人目が前記認証操作をおこなうと、前記2人照合が承認された在室者と、前記3人目の在室者とは、入室したときの照合人数に拘らず、いずれも3人で退室を承認されたとする通行履歴が記録されて退室できる手段を備えたことを特徴とする請求項１〜３のいずれかに記載の入退出管理システム。
【請求項５】
前記2人照合機能及び前記アンチパスバックチェック機能を備えた入退出管理システムにおいて、あるエリアの在室者が残り5人以上いるとき、前記在室者のいずれか1人目は前記認証操作をおこない、2人目は通行履歴を残さない機能を有効にしてから前記認証操作することで、2人照合が承認され、前記通行履歴を残さない機能を有効にせず、前記認証操作をおこなった1人目が退室した後、前記通行履歴を残さない機能を有効にしてから前記認証操作した2人目が退室する前に、2人照合がおこなわれていない前記在室者のいずれか1人と揃って、再度2人照合をおこなうと、前記2人照合が承認された在室者と、前記3人目の在室者とは入室したときの照合人数に拘らず、いずれも3人で退室を承認されたとする通行履歴が記録されて退室できる手段を備えたことを特徴とする請求項１〜３のいずれかに記載の入退出管理システム。
【請求項６】
前記2人照合機能及び前記アンチパスバックチェック機能を備えた入退出管理システムにおいて、あるエリアの在室者が残り4人になったとき、在室者のいずれか3人が共に退室することを禁止する手段を備えたことを特徴とする請求項１〜３のいずれかに記載の入退出管理システム。
【請求項７】
前記2人照合機能及び前記アンチパスバックチェック機能を備えた入退出管理システムにおいて、あるエリアの在室者が残り3人になったとき、前記在室者のいずれか2人の前記2人照合による退室を禁止する手段と、前記在室者の3人が揃って前記認証操作をおこなうと、前記3人が共に退室を承認されたとする通行履歴が記録されて退室できる手段と、を備えたことを特徴とする請求項１〜３のいずれかに記載の入退出管理システム。
【発明の詳細な説明】
【技術分野】
【０００１】
この発明は、入室及び退室をID判別に基づいて管理する入退室管理システムに関するものである。
【背景技術】
【０００２】
従来、この種の入退室管理システムとして、セキュリティーを高めるために2人照合機能とアンチパスバックチェック機能の両方を組み合わせて備えているものがある。2人照合機能とは、1人の照合だけでなく、2人の照合がＯＫ時にドアの電気錠を制御して入退室を可能とするシステム機能である。このシステムの目的は、あるエリアに入室した人が、そのエリアに単独で滞留できないようにすることである。そのため、入室時だけでなく、退室時も、常に2人照合による入退室管理をおこなう運用が望ましい。なぜなら、入室時に2人照合をおこなったとしても、退室時に1人での退室を認めてしまうと、最終的に当該エリアに1人だけで滞留する状態が起こり得るため、2人照合の目的を阻害する要因となってしまうからである。アンチパスバックチェック機能とは、あるエリアに入室中で退室していない人の同エリアへの再入室と、あるエリアに入室していない人の同エリアからの退室を禁止する機能である。例えば、かかる機能を実現するには下記特許文献１に示すように、部屋の入口側と出口側に設けられたＩＤ判別装置としてのカードリーダで、ＩＤカードの照合結果がＯＫ時には、ドアの電気錠を解錠して入退室を可能にしている。
【０００３】
図１０〜図１１は例えば特許文献１号に示された従来の入退室管理システムを示す図である。図１０は従来の2人照合による入退室管理システムの構成図を示し、図において、１は通行者Ａ、２は通行者が保持するカードＡ、３はカードＡ２内のカード個人識別番号Ａ、４は通行者Ｂ、５は通行者が保持するカードＢ、６はカードＢ５内のカード個人識別番号Ｂ、７はあるエリアの入口側と出口側に設けられたID判別装置としてのカードリーダ、８はカードリーダ７に設けられ、通行者が保持するカード内のカード個人識別番号を読取るカード読取部、９はカード読取部８で取得したカード個人識別番号データの通信処理をおこなうカードリーダ７に設けられたデータ通信処理装置、また、中央処理装置１１、通行可否データベース１２、通行履歴データベース１３を備えてなるコントローラ１０は、2人照合機能及びアンチパスバック機能の2つの機能を有効とするようにカードリーダ７を制御している。１４はコントローラ１０に設けられた扉制御部、１５は扉制御部１４が制御する扉である。
【０００４】
次に、上記構成に係る具体的動作について図１１のフローチャートに基づいて説明する。通行者Ａ１がカードリーダ７のカード読取部８にカードＡ２をかざす（ＳＴ１）。カード読取部８がカードＡ２内のカード個人識別番号Ａ３を読取ると、カードリーダ７のデータ通信処理装置９がカード個人識別番号Ａ３をコントローラ１０の中央処理装置１１へ送り、カード個人識別番号Ｂ６と通行可否データベース１２とを照合する。上記照合結果が通行不可の場合（ＳＴ２＿ＮＯ）は再度、通行者Ａ１はカード読取部８にカードＡ２をかざす。
【０００５】
上記照合結果が通行可の場合（ＳＴ２＿ＹＥＳ）、一定時間内（ＳＴ３＿ＮＯ）に通行者Ｂ４がカードリーダ７のカード読取部８にカードＢ５をかざす（ＳＴ１４）。一定時間が過ぎる（ＳＴ３＿ＹＥＳ）と再度、ＳＴ1からやりなおす（又は終了）。カード読取部８がカードＢ５内のカード個人識別番号Ｂ６を読取と、カードリーダ７のデータ通信処理装置９がカード個人識別番号Ｂ６をコントローラ１０の中央処理装置１１へ送り、カード個人識別番号Ｂ６と通行可否データベース１２とを照合する。
【０００６】
上記照合結果が通行不可の場合（ＳＴ５＿ＮＯ）、一定時間内（ＳＴ６＿ＮＯ）に再度、通行者Ｂ４がカードリーダ７のカード読取部８にカードＢ５をかざす。一定時間が過ぎると（ＳＴ６＿ＹＥＳ）再度、ＳＴ11からやりなおす（又は終了）。上記照合結果が通行可の場合（2人照合ＯＫ）（ＳＴ５＿ＹＥＳ）にはコントローラ１０内の中央処理装置１１は扉制御部１４を経由して扉１５を一時解錠させる（ＳＴ７）。同時に中央処理装置１１は通行履歴データベース１２に通行者Ａ１と通行者Ｂ４の通行履歴を残す（ＳＴ８）。コントローラ１０内の中央処理装置１１は扉制御部１４を経由して扉１５を施錠する（ＳＴ１９）。なお、入室時と退室時ともにシステム構成及びフローチャートは同様である。
【０００７】
【特許文献１】特公平８−３１１４５号公報
【発明の開示】
【発明が解決しようとする課題】
【０００８】
しかしながら、上記のような2人照合機能とアンチパスバック機能の2つの機能を有している入退出管理システムによれば、2人の通行者のいずれか1人が何らかの事情により不在であって、もう1人は、あるエリアに入室したい場合、2人が揃っていれば本来入室できるにもかかわらず、2人照合機能によるシステム運用上、単独での入退室は禁止されてしまう。また、仮に、別の2人が入室するタイミングで、共連れの3人目として入室できたとしても、アンチパスバックチェック機能により不正入室となるため、正常に退室することはできない。
【０００９】
そのため、通行者からは、このような運用上の問題を改善することで、より利便性が高いシステムにして欲しいというニーズがある。そこで、2人照合機能を有しているシステムにおいて、このように1人となった通行者であっても、正式な照合をおこない入退室を可能にするための手段としては、1人照合による入退室を可能にする手段と、別の2人と1人とを組み合わせた3人での3人照合による入退室を可能にする手段とがある。1人照合による入退室を可能とする手段の場合、あるエリアに1人だけで滞留する状態を防止することができないため、2人照合機能の目的が阻害される恐れがある。3人照合による入退室を可能とする手段の場合、あるエリアに1人だけで滞留する状態にはならないため、2人照合機能の目的は阻害されることはないので問題は無いが、その実現においては他方でいくつかの技術的・コスト的な問題を抱えている。
【００１０】
例えば、2人照合によるシステムにおいて、3人照合をおこなうためには、通行者に何らかの事情があること、すなわち、3人照合をおこなって入室したい正当な理由があることを条件に運用することが望ましいと言える。なぜなら、2人照合ができるにもかかわらず、特段の理由も無く、3人照合をおこなうことを認めると、2人照合による運用の意義が埋没してしまうからである。従って、通行者が、このような3人照合をおこなう場合には、正当な理由があるか否かを確認する必要がある。しかし、このような確認をおこなうための手段をシステムだけで構築する場合、確認する方法によっては複雑となってしまう問題がある。
【００１１】
このような確認をおこなうための操作ボタンや3人照合を有効にできる操作ボタンを設ける等の手段も考えられる。通常、このような操作ボタンは複雑にすると使い難くなるため、簡単に操作できるように設定される。しかし、このような操作ボタンは、通行者に特段の理由が無くても、安易に使用される恐れがあり、正当な理由があることを条件に運用することが困難となってしまう問題がある。
【００１２】
一方、管理人等の人手を利用すれば、このような確認をおこなうことは可能ではあるが、3人照合をおこなう場合、3人目をどのように扱い、管理するかが問題となる。例えば、3人目を何らかの照合手段（1人照合又は3人照合等がある）により入室させる場合、管理人等が通行者に正当な理由があることを確認した後、この照合手段により通行者を入室させる運用とする必要がある。このような運用をおこなうには、この照合手段を有効にするための操作を、通行者が単独に操作できるものではなく、管理人だけが専用に操作できるような照合手段としなければならない。このため、入室時だけでなく、退室時のいずれの場合においても、管理人等がこの照合手段を有効にする操作をしなければならず、管理人等と通行者の両者が共に、入退室時における手間が非常に煩雑となってしまい、却って、不便となる恐れもある。
【００１３】
従って、このように、2人照合によるシステムにおいて、3人照合をおこなうシステムを実現するには、人手を介することなくシステムだけで構築することは技術的に困難な面があり、仮に、管理人等の人手を利用してシステムを構築しても、2人照合機能の目的が阻害されたり、手間が煩雑となったり、人件費等のコストが増大するという問題があった。
【００１４】
この発明は上記のような問題を解決するためになされたものであり、その目的は、2人照合機能とアンチパスバック機能の2つの機能を有している入退出管理システムにおいて、人手を介することなく、所望の3人照合機能を可能にすることができる入退出管理システムを得ることである。
【課題を解決するための手段】
【００１５】
この発明にかかる入退出管理システムは、予め登録された2人以上のグループのメンバーに属する1人での単独照合はおこなわず、前記メンバーで任意の組み合わせによる2人が揃って所定の照合をおこなう2人照合機能と、あるエリアに入室した後、退室した記録が無い人の同エリアへの再入室と、あるエリアに入室した記録の無い人の同エリアからの退室を禁止するアンチパスバックチェック機能とを備えた入退出管理システムにおいて、2人照合が承認され、電気錠が開錠した後、電気錠が開錠中で、かつ扉は閉めたままの状態において、任意の組み合わせによる2人が入室する前に、任意の組み合わせによる2人以外のグループに属するメンバーのいずれか1人に該当する3人目がカード操作をおこなうと、この3人が共に入室を承認されたとする通行履歴が記録されて、共に入室できるコントローラを備えたことを特徴とする入退出管理システムを設けて構成したものである。
【００１６】
また、この発明にかかる入退出管理システムは、予め登録された2人以上のグループのメンバーに属する1人での単独照合はおこなわず、前記メンバーで任意の組み合わせによる2人が揃って所定の照合をおこなう2人照合機能と、あるエリアに入室した後、退室した記録が無い人の同エリアへの再入室と、あるエリアに入室した記録の無い人の同エリアからの退室を禁止するアンチパスバックチェック機能とを備えた入退出管理システムにおいて、任意の組み合わせによる2人のいずれか1人はカード操作だけをおこない、もう1人は通行履歴を残さない機能を有効にしてからカード操作することで、2人照合が承認され、通行履歴を残さない機能を有効にせず、カード操作だけをおこなった1人目が入室した後、通行履歴を残さない機能を有効にしてからカード操作した2人目が入室する前に、3人目と揃って、再度2人照合をおこなうと、この3人が共に入室を承認されたとする通行履歴が記録されて、入室できるコントローラを備えたことを特徴とする入退出管理システムを設けて構成したものである。
【００１７】
また、この発明にかかる入退出管理システムは、予め登録された2人以上のグループのメンバーに属する1人での単独照合はおこなわず、前記メンバーで任意の組み合わせによる2人が揃って所定の照合をおこなう2人照合機能と、あるエリアに入室した後、退室した記録が無い人の同エリアへの再入室と、あるエリアに入室した記録の無い人の同エリアからの退室を禁止するアンチパスバックチェック機能とを備えた入退出管理システムにおいて、2人照合が承認され、電気錠が開錠した後、電気錠が開錠中で、かつ扉が開いてから、任意の組み合わせによる2人又は任意の組み合わせのいずれか1人が扉を閉める前の状態において、任意の組み合わせによる2人以外のグループに属するメンバーのいずれか1人に該当する3人目がカード操作をおこなうと、この3人が共に入室を承認されたとする通行履歴が記録されて、共に入室できるコントローラを備えたことを特徴とする入退出管理システムを設けて構成したものである。
【００１８】
また、この発明にかかる入退出管理システムは、予め登録された2人以上のグループのメンバーに属する1人での単独照合はおこなわず、前記メンバーで任意の組み合わせによる2人が揃って所定の照合をおこなう2人照合機能と、あるエリアに入室した後、退室した記録が無い人の同エリアへの再入室と、あるエリアに入室した記録の無い人の同エリアからの退室を禁止するアンチパスバックチェック機能とを備えた入退出管理システムにおいて、任意の組み合わせによる2人と3人目が共に入室を承認されたとする通行履歴が記録された3人のいずれか2人が、2人照合機能による退出を禁止する手段と、3人が揃ってカード操作をおこなうと、3人が共に退室を承認されたとする通行履歴が記録されて、3人が共に退室できる手段とを備えたことを特徴とする入退出管理システムを設けて構成したものである。
【００１９】
また、この発明にかかる入退出管理システムは、予め登録された2人以上のグループのメンバーに属する1人での単独照合はおこなわず、前記メンバーで任意の組み合わせによる2人が揃って所定の照合をおこなう2人照合機能と、あるエリアに入室した後、退室した記録が無い人の同エリアへの再入室と、あるエリアに入室した記録の無い人の同エリアからの退室を禁止するアンチパスバックチェック機能とを備えた入退出管理システムにおいて、あるエリアの在室者が残り5人以上いるとき、在室者のいずれか2人の2人照合が承認され、電気錠が開錠した後、電気錠が開錠中で、かつ扉は閉めたままの状態において、2人照合が承認された2人が退室する前に、2人照合がおこなわれていない在室者の3人目がカード操作をおこなうと、在室者の3人が共に退室を承認されたとする通行履歴が記録されて退室できる手段を備えたことを特徴とする入退出管理システムを設けて構成したものである。
【００２０】
また、この発明にかかる入退出管理システムは、予め登録された2人以上のグループのメンバーに属する1人での単独照合はおこなわず、前記メンバーで任意の組み合わせによる2人が揃って所定の照合をおこなう2人照合機能と、あるエリアに入室した後、退室した記録が無い人の同エリアへの再入室と、あるエリアに入室した記録の無い人の同エリアからの退室を禁止するアンチパスバックチェック機能とを備えた入退出管理システムにおいて、あるエリアの在室者が残り5人以上いるとき、在室者のいずれか1人目はカード操作だけをおこない、2人目は通行履歴を残さない機能を有効にしてからカード操作することで、2人照合が承認され、通行履歴を残さない機能を有効にせず、カード操作だけをおこなった1人目が退室した後、通行履歴を残さない機能を有効にしてからカード操作した2人目が退室する前に、2人照合がおこなわれていない在室者の3人目と揃って、再度2人照合をおこなうと、在室者の3人が共に退室を承認されたとする通行履歴が記録されて退室できる手段を備えたことを特徴とする入退出管理システムを設けて構成したものである。
【００２１】
また、この発明にかかる入退出管理システムは、予め登録された2人以上のグループのメンバーに属する1人での単独照合はおこなわず、前記メンバーで任意の組み合わせによる2人が揃って所定の照合をおこなう2人照合機能と、あるエリアに入室した後、退室した記録が無い人の同エリアへの再入室と、あるエリアに入室した記録の無い人の同エリアからの退室を禁止するアンチパスバックチェック機能とを備えた入退出管理システムにおいて、あるエリアの在室者が残り5人以上いるとき、在室者のいずれか2人の2人照合が承認され、電気錠が開錠した後、電気錠が開錠中で、かつ扉が開いてから、扉を閉める前の状態において、2人照合がおこなわれていない在室者の3人目がカード操作をおこなうと、在室者の2人と3人目の3人が共に退室を承認されたとする通行履歴が記録されて退室できる手段を備えたことを特徴とする入退出管理システムを設けて構成したものである。
【００２２】
また、この発明にかかる入退出管理システムは、予め登録された2人以上のグループのメンバーに属する1人での単独照合はおこなわず、前記メンバーで任意の組み合わせによる2人が揃って所定の照合をおこなう2人照合機能と、あるエリアに入室した後、退室した記録が無い人の同エリアへの再入室と、あるエリアに入室した記録の無い人の同エリアからの退室を禁止するアンチパスバックチェック機能とを備えた入退出管理システムにおいて、あるエリアの在室者が残り4人になったとき、在室者のいずれか3人が共に退出することを禁止する手段を備えたことを特徴とする入退出管理システムを設けて構成したものである。
【００２３】
また、この発明にかかる入退出管理システムは、予め登録された2人以上のグループのメンバーに属する1人での単独照合はおこなわず、前記メンバーで任意の組み合わせによる2人が揃って所定の照合をおこなう2人照合機能と、あるエリアに入室した後、退室した記録が無い人の同エリアへの再入室と、あるエリアに入室した記録の無い人の同エリアからの退室を禁止するアンチパスバックチェック機能とを備えた入退出管理システムにおいて、あるエリアの在室者が残り3人になったとき、在室者のいずれか2人の2人照合による退出を禁止する手段と、在室者の3人が揃ってカード操作をおこなうと、3人が共に退室を承認されたとする通行履歴が記録されて退室できる手段を備えたことを特徴とする入退出管理システムを設けて構成したものである。
【発明の効果】
【００２４】
この発明は、2人照合機能とアンチパスバック機能の2つの機能を有している入退出管理システムにおいて、2人照合が承認された後、3人目が予め設定された電気錠と扉の開錠タイミングに合わせてカード操作をおこなうと、3人で入室した通行履歴が記録され、3人が共に入室可能となり、人手を介することなく3人照合による入室をおこなうことができるようにしたので、より高度なセキュリティーシステムが実現できる。
【００２５】
また、この発明は、2人照合機能とアンチパスバック機能の2つの機能を有している入退出管理システムにおいて、2人照合をおこなうとき、履歴を残さない機能を有効にしてカード操作をおこなった1人が、再度、3人目と2人照合をおこなうと、3人で入室した通行履歴が記録され、3人が入室可能となり、人手を介することなく3人照合による入室をおこなうことができるようにしたので、より高度なセキュリティーシステムが実現できる。
【００２６】
また、この発明は、2人照合機能とアンチパスバック機能の2つの機能を有している入退出管理システムにおいて、3人で入室した通行履歴が記録された3人のいずれか2人による退出を禁止し、3人が揃ってカード操作をおこなうと、3人で退室した通行履歴が記録され、3人が共に退出可能となり、人手を介することなく3人照合による退室をおこなうことができるようにしたので、より高度なセキュリティーシステムが実現できる。
【００２７】
また、この発明は、2人照合機能とアンチパスバック機能の2つの機能を有している入退出管理システムにおいて、あるエリアの在室者が残り5人以上いるとき、2人照合が承認された後、3人目が予め設定された電気錠と扉の開錠タイミングに合わせてカード操作をおこなうと、3人で退室した通行履歴が記録され、3人が共に退室可能となり、人手を介することなく3人照合による退室をおこなうことができるようにしたので、より高度なセキュリティーシステムが実現できる。
【００２８】
また、この発明は、2人照合機能とアンチパスバック機能の2つの機能を有している入退出管理システムにおいて、あるエリアの在室者が残り5人以上いるとき、2人照合が承認された後、2人照合で履歴を残さない機能を有効にしてカード操作をおこなった1人が、再度、3人目と2人照合をおこなうと、3人で退室した通行履歴が記録され、3人が退室可能となり、人手を介することなく3人照合による退室をおこなうことができるようにしたので、より高度なセキュリティーシステムが実現できる。
【００２９】
また、この発明は、2人照合機能とアンチパスバック機能の2つの機能を有している入退出管理システムにおいて、あるエリアの在室者が残り4人になったとき、在室者のいずれか3人が共に退出することを禁止することにしたので、人手を介することなく、より高度なセキュリティーシステムが実現できる。
【００３０】
また、この発明は、2人照合機能とアンチパスバック機能の2つの機能を有している入退出管理システムにおいて、あるエリアの在室者が残り3人になったとき、在室者のいずれか2人の2人照合による退出を禁止し、在室者の3人が揃ってカード操作をおこなうと、3人で退室した通行履歴が記録され、3人が共に退出可能となり、人手を介することなく3人照合による退室をおこなうことができるようにしたので、より高度なセキュリティーシステムが実現できる。
【発明を実施するための最良の形態】
【００３１】
実施の形態１
図１〜図２はこの発明の実施の形態１に係る入退室管理システムの構成図を示す。図１は入退室管理システムの構成図を示し、図において、１は通行者Ａ、２は通行者が保持するカードＡ、３はカードＡ２内のカード個人識別番号Ａ、４は通行者Ｂ、５は通行者が保持するカードＢ、６はカードＢ５内のカード個人識別番号Ｂ、１６は通行者Ｃ、１７は通行者が保持するカードＣ、１８はカードＣ１７内のカード個人識別番号Ｃ、７はあるエリアの入口側と出口側に設けられたID判別装置としてのカードリーダ、８はカードリーダ７に設けられ、通行者が保持するカード内のカード個人識別番号を読取るカード読取部、９はカード読取部８で取得したカード個人識別番号データの通信処理をおこなうカードリーダ７に設けられたデータ通信処理装置、また、中央処理装置１１、通行可否データベース１２、通行履歴データベース１３を備えてなるコントローラ１０は、2人照合機能、3人照合機能及びアンチパスバック機能の3つの機能を有効とするようにカードリーダ７を制御している。１４はコントローラ１０に設けられた扉制御部、１５は扉制御部１４が制御する扉である。
【００３２】
次に、上記構成に係る入室時の具体的動作について図２のフローチャートに基づいて説明する。通行者Ａ１がカードリーダ７のカード読取部８にカードＡ２をかざす（ＳＴ１）。カード読取部８がカードＡ２内のカード個人識別番号Ａ３を読取ると、カードリーダ７のデータ通信処理装置９がカード個人識別番号Ａ３をコントローラ１０の中央処理装置１１へ送り、カード個人識別番号Ａ３と通行可否データベース１２とを照合する。上記照合結果が通行不可の場合（ＳＴ２＿ＮＯ）は再度、通行者Ａ１はカード読取部８にカードＡ２をかざす。上記照合結果が通行可の場合（ＳＴ２＿ＹＥＳ）、一定時間内（ＳＴ3＿ＮＯ）に通行者Ｂ４がカードリーダ７のカード読取部８にカードＢ５をかざす（ＳＴ4）。一定時間が過ぎる（ＳＴ3＿ＹＥＳ）と再度、ＳＴ1からやりなおしとなる（又は終了）。
【００３３】
カード読取部８がカードＢ５内のカード個人識別番号Ｂ６を読取ると、カードリーダ７のデータ通信処理装置９がカード個人識別番号Ｂ６をコントローラ１０の中央処理装置１１へ送り、カード個人識別番号Ｂ６と通行可否データベース１２とを照合する。上記照合結果が通行不可の場合（ＳＴ5＿ＮＯ）、一定時間内（ＳＴ６＿ＮＯ）に再度、通行者Ｂ４がカードリーダ７のカード読取部８にカードＢ５をかざす。一定時間が過ぎると（ＳＴ６＿ＹＥＳ）、再度ＳＴ1からやりなおしとなる（又は終了）。上記照合結果が通行可の場合（2人照合ＯＫ）（ＳＴ５＿ＹＥＳ）にはコントローラ１０内の中央処理装置１１は扉制御部１４を経由して扉１５を一時解錠させる（ＳＴ７）。
【００３４】
同時に中央処理装置１１は通行履歴データベース１３に通行者Ａ１と通行者Ｂ４の通行履歴を残す（ＳＴ８）。このとき、扉１５がいったん開いて閉じていないかをコントローラ１０の中央処理装置１１が扉制御部１４を経由して検知する（ＳＴ９）。扉１５がいったん開いて閉まってしまうと（ＳＴ９＿ＹＥＳ）、通行者Ａ１と通行者Ｂ４が入室したこととなるため、再度ＳＴ１からやり直す。その場合、通行者Ａ１と通行者Ｂ４は入室した通行履歴が残っているため、一度退室しなければいけない。
【００３５】
扉１５が一時解錠した後、一度も開かれず、閉じたままの状態で、一時解錠している間に（ＳＴ９＿ＮＯ）、通行者Ｃ１６がカードリーダ７のカード読取部８にカードＣ１７をかざす（ＳＴ１０）。カード読取部８がカードＣ１７内のカード個人識別番号Ｃ１８を読取と、カードリーダ７のデータ通信処理装置９がカード個人識別番号Ｃ１８をコントローラ１０の中央処理装置１１へ送り、カード個人識別番号Ｃ１８と通行可否データベース１２とを照合する。この照合結果が通行不可の場合（ＳＴ１１＿ＮＯ）、一定時間内（ＳＴ１２＿ＮＯ）に再度、通行者Ｃ１６はカード読取部８にカードＣ１７をかざす。一定時間が過ぎると（ＳＴ１２＿ＹＥＳ）、再度ＳＴ1からやりなおしとなる（又は終了）。
【００３６】
この照合結果が通行可の場合（ＳＴ１１＿ＹＥＳ）、中央処理装置１１は通行履歴データベース１３に通行者Ｃ１６の通行履歴を残す。Ｃの通行履歴を残す同時に、通行者Ａ１、通行者Ｂ４、通行者Ｃ１６は3人で入室したことも履歴に残す。（ＳＴ１３）。通行者Ａ１、通行者Ｂ４、通行者Ｃ１６が入室する。コントローラ１０内の中央処理装置１１は扉制御部１４を経由して扉１５を施錠する（ＳＴ１４）。
【００３７】
なお、ＳＴ９においては、扉１５はいったん開いた場合であっても、開いてから閉じていない状態であれば、ＳＴ１０の照合をおこなっても良い。
【００３８】
実施の形態２
図３〜図５はこの発明の実施の形態２に係る入退室管理システムの構成図を示す。図３は3人照合による入退室管理システムの構成図を示し、図において、１は通行者Ａ、２は通行者が保持するカードＡ、３はカードＡ２内のカード個人識別番号Ａ、４は通行者Ｂ、５は通行者が保持するカードＢ、６はカードＢ５内のカード個人識別番号Ｂ、１６は通行者Ｃ、１７は通行者が保持するカードＣ、１８はカードＣ１７内のカード個人識別番号Ｃ、７はあるエリアの入口側と出口側に設けられたID判別装置としてのカードリーダ、８はカードリーダ７に設けられ、通行者が保持するカード内のカード個人識別番号を読取るカード読取部、９はカード読取部８で取得したカード個人識別番号データの通信処理をおこなうカードリーダ７に設けられたデータ通信処理装置、また、中央処理装置１１、通行可否データベース１２、通行履歴データベース１３を備えてなるコントローラ１０は、2人照合機能、3人照合機能及びアンチパスバック機能の3つの機能を有効とするようにカードリーダ７を制御している。１４はコントローラ１０に設けられた扉制御部、１５は扉制御部１４が制御する扉である。１９はカードリーダ７に設けられた通行履歴を残さないボタンである。
【００３９】
次に、上記構成に係る入室時の具体的動作について図４〜図５のフローチャートに基づいて説明する。通行者Ａ１がカードリーダ７の通行履歴を残さないボタン１９を押す（ＳＴ１＿ＹＥＳ）。通行者Ａ１がカードリーダ７のカード読取部８にカードＡ２をかざす（ＳＴ2）。カード読取部８がカードＡ２内のカード個人識別番号Ａ３を読取と、カードリーダ７のデータ通信処理装置９がカード個人識別番号Ａ３をコントローラ１０の中央処理装置１１へ送り、カード個人識別番号Ａ３と通行可否データベース１２とを照合する。
【００４０】
上記照合結果が通行不可の場合（ＳＴ３＿ＮＯ）、再度通行者Ａ１はカード読取部８にカードＡ２をかざす（ＳＴ２）。上記照合結果が通行可の場合（ＳＴ３＿ＹＥＳ）、一定時間内（ＳＴ４＿ＮＯ）に通行者Ｂ４がカード読取部８にカードＢ５をかざす（ＳＴ５）。一定時間が過ぎると（ＳＴ４＿ＹＥＳ）再度、ＳＴ1からやりなおす（又は終了）。カード読取部８がカードＢ５内のカード個人識別番号Ｂ６を読取と、カードリーダ７のデータ通信処理装置９がカード個人識別番号Ｂ６をコントローラ１０の中央処理装置１１へ送り、カード個人識別番号Ｂ６と通行可否データベース１２とを照合する。
【００４１】
上記照合結果が通行不可の場合は（ＳＴ６＿ＮＯ）、一定時間内に（ＳＴ７＿ＮＯ）再度、カード読取部８にカードＢ５をかざす。一定時間が過ぎると（ＳＴ７＿ＹＥＳ）再度、ＳＴ1からやりなおす（又は終了）。上記照合結果が通行可の場合（2人照合ＯＫ）（ＳＴ６＿ＹＥＳ）にはコントローラ１０内の中央処理装置１１は扉制御部１４を経由して扉１５を一時解錠させる（ＳＴ８）。同時に中央処理装置１１は通行履歴データベース１３に通行者Ｂ４の通行履歴を残す（ＳＴ９）。
【００４２】
通行者Ａ１の通行履歴はカードＡ２をかざす前に通行履歴残さないボタン１９を押したため残らない。通行者Ｂ４だけが入室する。コントローラ１０内の中央処理装置１１は扉制御部１４を経由して扉１５を施錠する（ＳＴ１０）。通行者Ａ１がカードリーダ７のカード読取部８にカードＢ５をかざす（ＳＴ１１）。カード読取部８がカードＡ２内のカード個人識別番号Ａ３を読取ると、カードリーダ７のデータ通信処理装置９がカード個人識別番号Ａ３をコントローラ１０の中央処理装置１１へ送り、カード個人識別番号Ａ３と通行可否データベース１２とを照合する。
【００４３】
上記照合結果が通行不可の場合（ＳＴ１２＿ＮＯ）は再度、通行者Ａ１はカード読取部８にカードＡ２をかざす。上記照合結果が通行可の場合（ＳＴ１２＿ＹＥＳ）、一定時間内（ＳＴ１２＿ＮＯ）に通行者Ｃ１６がカードリーダ７のカード読取部８にカードＣ１７をかざす（ＳＴ１４）。一定時間が過ぎる（ＳＴ１３＿ＹＥＳ）と再度、ＳＴ11からやりなおす（又は終了）。カード読取部８がカードＣ１７内のカード個人識別番号Ｃ１８を読取と、カードリーダ７のデータ通信処理装置９がカード個人識別番号Ｃ１８をコントローラ１０の中央処理装置１１へ送り、カード個人識別番号Ｃ１８と通行可否データベース１２とを照合する。
【００４４】
上記照合結果が通行不可の場合（ＳＴ１５＿ＮＯ）、一定時間内（ＳＴ１６＿ＮＯ）に再度、通行者Ｃ１６がカードリーダ７のカード読取部８にカードＣ１７をかざす。一定時間が過ぎると（ＳＴ１６＿ＹＥＳ）再度、ＳＴ11からやりなおす（又は終了）。上記照合結果が通行可の場合（2人照合ＯＫ）（ＳＴ１５＿ＹＥＳ）にはコントローラ１０内の中央処理装置１１は扉制御部１４を経由して扉１５を一時解錠させる（ＳＴ１７）。
【００４５】
同時に中央処理装置１１は通行履歴データベース１３に通行者Ａ１と通行者Ｃ１６の通行履歴を残す（ＳＴ１８）。また、通行者Ａ１と通行者Ｃ１６の通行履歴を残す同時に、通行者Ａ１、通行者Ｂ４、通行者Ｃ１６は3人で入室したことも履歴に残す。コントローラ１０内の中央処理装置１１は扉制御部１４を経由して扉１５を施錠する（ＳＴ１９）。
【００４６】
通行者Ａ１がカードリーダ７の通行履歴を残さないボタン１９を押さない（ＳＴ１＿ＮＯ）。通行者Ａ１がカードリーダ７のカード読取部８にカードＡ２をかざす（ＳＴ２０）。カード読取部８がカードＡ２内のカード個人識別番号Ａ３を読取と、カードリーダ７のデータ通信処理装置９がカード個人識別番号Ａ３をコントローラ１０の中央処理装置１１へ送り、カード個人識別番号Ａ３と通行可否データベース１２とを照合する。
【００４７】
上記照合結果が通行不可の場合（ＳＴ２１＿ＮＯ）、再度通行者Ａ１はカード読取部８にカードＡ２をかざす。上記照合結果が通行可の場合（ＳＴ２１＿ＹＥＳ）、一定時間内（ＳＴ２２＿ＮＯ）に通行者Ｂ４が通行履歴を残さないボタン１９を押し（ＳＴ２３）、カード読取部８にカードＢ５をかざす（ＳＴ２４）。カード読取部８がカードＢ５内のカード個人識別番号Ｂ６を読取と、カードリーダ７のデータ通信処理装置９がカード個人識別番号Ｂ６をコントローラ１０の中央処理装置１１へ送り、カード個人識別番号Ｂ６と通行可否データベース１２とを照合する。
【００４８】
上記照合結果が通行不可の場合は（ＳＴ２５＿ＮＯ）、一定時間内に（ＳＴ２６＿ＮＯ）再度、カード読取部８にカードＢ５をかざす。一定時間が過ぎると（ＳＴ２８＿ＹＥＳ）再度、ＳＴ1からやりなおす（又は終了）。上記照合結果が通行可の場合（2人照合ＯＫ）（ＳＴ２７＿ＹＥＳ）にはコントローラ１０内の中央処理装置１１は扉制御部１４を経由して扉１５を一時解錠させる（ＳＴ２７）。同時に中央処理装置１１は通行履歴データベース１３に通行者Ａ１の通行履歴を残す（ＳＴ２８）。
【００４９】
通行者Ｂ４の通行履歴はカードＢ５をかざす前に通行履歴残さないボタン１９を押したため残らない。通行者Ａ１だけが入室する。コントローラ１０内の中央処理装置１１は扉制御部１４を経由して扉１５を施錠する（ＳＴ２９）。通行者Ｂ４がカードリーダ７のカード読取部８にカードＢ５をかざす（ＳＴ３０）。カード読取部８がカードＡ２内のカード個人識別番号Ｂ６を読取ると、カードリーダ７のデータ通信処理装置９がカード個人識別番号Ａ３をコントローラ１０の中央処理装置１１へ送り、カード個人識別番号Ｂ６と通行可否データベース１２とを照合する。
【００５０】
上記照合結果が通行不可の場合（ＳＴ３１＿ＮＯ）は再度、通行者Ｂ４はカード読取部８にカードＢ５をかざす。上記照合結果が通行可の場合（ＳＴ３１＿ＹＥＳ）、一定時間内（ＳＴ３２＿ＮＯ）に通行者Ｃ１６がカードリーダ７のカード読取部８にカードＣ１７をかざす（ＳＴ３３）。一定時間が過ぎる（ＳＴ３２＿ＹＥＳ）と再度、ＳＴ３０からやりなおす（又は終了）。カード読取部８がカードＣ１７内のカード個人識別番号Ｃ１８を読取と、カードリーダ７のデータ通信処理装置９がカード個人識別番号Ｃ１８をコントローラ１０の中央処理装置１１へ送り、カード個人識別番号Ｃ１８と通行可否データベース１２とを照合する。
【００５１】
上記照合結果が通行不可の場合（ＳＴ３４＿ＮＯ）、一定時間内（ＳＴ３５＿ＮＯ）に再度、通行者Ｃ１６がカードリーダ７のカード読取部８にカードＣ１７をかざす。一定時間が過ぎると（ＳＴ３５＿ＹＥＳ）再度、ＳＴ３０からやりなおす（又は終了）。上記照合結果が通行可の場合（2人照合ＯＫ）（ＳＴ３４＿ＹＥＳ）にはコントローラ１０内の中央処理装置１１は扉制御部１４を経由して扉１５を一時解錠させる（ＳＴ３６）。
【００５２】
同時に中央処理装置１１は通行履歴データベース１３に通行者Ｂ４と通行者Ｃ１６の通行履歴を残す（ＳＴ３７）。また、通行者Ｂ４、通行者Ｃ１６の通行履歴を残す同時に、通行者Ａ１、通行者Ｂ４、通行者Ｃ１６は3人で入室したことも履歴に残す。コントローラ１０内の中央処理装置１１は扉制御部１４を経由して扉１５を施錠する（ＳＴ１９）。
【００５３】
実施の形態３
この発明の実施の形態３に係る入退室管理システムの構成図は、図１〜図５で示すものと同じである。次に、上記構成に係る退室時の具体的動作について図６のフローチャートに基づいて説明する。通行者Ａ１がカードリーダ７のカード読取部８にカードＡ２をかざす（ＳＴ１）。カード読取部８がカードＡ２内のカード個人識別番号Ａ３を読取ると、カードリーダ７のデータ通信処理装置９がカード個人識別番号Ａ３をコントローラ１０の中央処理装置１１へ送り、カード個人識別番号Ａ３と通行可否データベース１２とを照合する。上記照合結果が通行不可の場合（ＳＴ２＿ＮＯ）は再度、通行者Ａ１はカード読取部８にカードＡ２をかざす。上記照合結果が通行可の場合（ＳＴ２＿ＹＥＳ）、通行履歴データベース１３に通行者Ａ１が入室時3人で入室した履歴があるか照合する（ＳＴ３）。
【００５４】
上記の履歴が3人での通行の場合（ＳＴ３＿ＹＥＳ）、一定時間内（ＳＴ４＿ＮＯ）に通行者Ｂ４がカードリーダ７のカード読取部８にカードＢ５をかざす（ＳＴ５）。一定時間が過ぎる（ＳＴ４＿ＹＥＳ）と再度、ＳＴ1からやりなおしとなる（又は終了）。カード読取部８がカードＢ５内のカード個人識別番号Ｂ６を読取ると、カードリーダ７のデータ通信処理装置９がカード個人識別番号Ｂ６をコントローラ１０の中央処理装置１１へ送り、カード個人識別番号Ｂ６と通行可否データベース１２とを照合する。
【００５５】
上記照合結果が通行不可の場合（ＳＴ６＿ＮＯ）、一定時間内（ＳＴ７＿ＮＯ）に再度、通行者Ｂ４がカードリーダ７のカード読取部８にカードＢ５をかざす。一定時間が過ぎると（ＳＴ７＿ＹＥＳ）、再度ＳＴ1からやりなおしとなる（又は終了）。上記照合結果が通行可の場合、一定時間内（ＳＴ８）に、通行者Ｃ１６がカードリーダ７のカード読取部８にカードＣ１７をかざす（ＳＴ９）。カード読取部８がカードＣ１７内のカード個人識別番号Ｃ１８を読取と、カードリーダ７のデータ通信処理装置９がカード個人識別番号Ｃ１８をコントローラ１０の中央処理装置１１へ送り、カード個人識別番号Ｃ１８と通行可否データベース１２とを照合する。
【００５６】
上記照合結果が通行不可の場合（ＳＴ１０＿ＮＯ）、一定時間内（ＳＴ１１＿ＮＯ）に再度、通行者Ｃ１６はカード読取部８にカードＣ１７をかざす。一定時間が過ぎると（ＳＴ１１＿ＹＥＳ）、再度ＳＴ1からやりなおしとなる（又は終了）。上記照合結果が通行可の場合（ＳＴ１０＿ＹＥＳ）にはコントローラ１０内の中央処理装置１１は扉制御部１４を経由して扉１５を一時解錠させる（ＳＴ７）。
【００５７】
同時に中央処理装置１１は通行履歴データベース１３に通行者Ａ１、通行者Ｂ４、通行者Ｃ１６退室の履歴を残す（ＳＴ１３）。通行者Ａ１、通行者Ｂ４、通行者Ｃ１６が退室する。コントローラ１０内の中央処理装置１１は扉制御部１４を経由して扉１５を施錠する（ＳＴ１４）。
【００５８】
実施の形態４
図６〜図８はこの発明の実施の形態４に係る入退室管理システムの構成図を示す。図６は入退室管理システムの構成図を示し、図において、１は通行者Ａ、２は通行者が保持するカードＡ、３はカードＡ２内のカード個人識別番号Ａ、４は通行者Ｂ、５は通行者が保持するカードＢ、６はカードＢ５内のカード個人識別番号Ｂ、１６は通行者Ｃ、１７は通行者が保持するカードＣ、１８はカードＣ１７内のカード個人識別番号Ｃ、７はあるエリアの入口側と出口側に設けられたID判別装置としてのカードリーダ、８はカードリーダ７に設けられ、通行者が保持するカード内のカード個人識別番号を読取るカード読取部、９はカード読取部８で取得したカード個人識別番号データの通信処理をおこなうカードリーダ７に設けられたデータ通信処理装置、また、中央処理装置１１、通行可否データベース１２、通行履歴データベース１３、在室管理データベース２０を備えてなるコントローラ１０は、2人照合機能、3人照合機能及びアンチパスバック機能の3つの機能を有効とするようにカードリーダ７を制御している。１４はコントローラ１０に設けられた扉制御部、１５は扉制御部１４が制御する扉である。入室については従来と同様である。
【００５９】
次に、上記構成に係る退室時の具体的動作について図７〜図８のフローチャートに基づいて説明する。通行履歴データベース１２に4人以上が入室した記録がなく、（ＳＴ１＿ＮＯ）入室記録が2人の場合（ＳＴ２＿ＹＥＳ）の退室は従来の2人照合を用いる（ＳＴ３）。入室記録が3人の場合（ＳＴ２＿ＮＯ）、退室時は、実施の形態３に記載の退室時の3人照合と同様、入室してきた3人が揃って退室する（ＳＴ４）。通行履歴データベース１２に5人以上が入室した記録があり（ＳＴ１＿ＹＥＳ）（ＳＴ4Ａ＿ＹＥＳ）、かつ在室管理データベース２０の在室人数が5人以上の場合、在室している人が2人照合又は3人照合で退室していく（ＳＴ4Ｂ）。
【００６０】
このときの3人での退室は、実施の形態１又は実施の形態２のいずれかに記載の入室時の3人照合を用いて退室する。ここで、実施の形態３に記載の退室時の3人照合との違いは、在室者は入室したときの照合手段（2人又は3人照合）に係わらず誰でも2人又は3人での退室を選択できる点である。入室記録が4人の場合（ＳＴ4Ａ＿ＮＯ）又は在室していた人が2人照合又は3人照合で退室していき、在室管理データベース２０の在室人数が4人となった場合（ＳＴ５＿ＹＥＳ）、4人になった時点で3人での退室はできなくなり（ＳＴ６）、それ以降の退室は従来の2人照合のみでの退室となる（ＳＴ３）。
【００６１】
在室している人が2人照合又は3人照合で退室していき（ＳＴ4Ｂ）、在室管理データベース２０の在室人数が3人となった場合（ＳＴ７＿ＹＥＳ）、在室人数が3人になった時点で2人照合での退室はできなくなる（ＳＴ８）。在室している人が2人照合又は3人照合で退室していき（ＳＴ4Ｂ）、在室管理データベース２０の在室人数が2人となった場合（ＳＴ９＿ＹＥＳ）、それ以降の退室は従来の2人照合での退室となる（ＳＴ３）。在室人数が5人以上の場合（ＳＴ５＿ＮＯ、ＳＴ７＿ＮＯ、ＳＴ９＿ＮＯ）は、在室管理データベース２０の在室人数4人、3人、または2人になるまで（ＳＴ４Ａ）を繰り返す。
【００６２】
次に、ＳＴ８以降について説明する。部屋に残っている3人の中の1人目（通行者Ａ１）がカードリーダ７のカード読取部８にカードＡ２をかざす（ＳＴ１０）。カード読取部８がカードＡ２内のカード個人識別番号Ａ３を読取ると、カードリーダ７のデータ通信処理装置９がカード個人識別番号Ａ２をコントローラ１０の中央処理装置１１へ送り、カード個人識別番号Ａ２と通行可否データベース１２とを照合する。
【００６３】
上記照合結果が通行不可の場合（ＳＴ１１＿ＮＯ）は再度、通行者Ａ１はカード読取部８にカードＡ２をかざす。上記照合結果が通行可の場合（ＳＴ１１＿ＹＥＳ）、一定時間内（ＳＴ１２＿ＮＯ）に部屋に残っている3人の中の2人目（通行者Ｂ４）がカードリーダ７のカード読取部８にカードＢ５をかざす（ＳＴ１３）。一定時間が過ぎる（ＳＴ１２＿ＹＥＳ）と再度、ＳＴ１０からやりなおしとなる（又は終了）。
【００６４】
カード読取部８がカードＢ５内のカード個人識別番号Ｂ６を読取ると、カードリーダ７のデータ通信処理装置９がカード個人識別番号Ｂ６をコントローラ１０の中央処理装置１１へ送り、カード個人識別番号Ｂ６と通行可否データベース１２とを照合する。上記照合結果が通行不可の場合（ＳＴ１４＿ＮＯ）、一定時間内（ＳＴ１５＿ＮＯ）に再度、通行者Ｂ４がカードリーダ７のカード読取部８にカードＢ５をかざす。一定時間が過ぎると（ＳＴ１５＿ＹＥＳ）、再度ＳＴ１０からやりなおしとなる（又は終了）。
【００６５】
上記照合結果が通行可の場合、一定時間内（ＳＴ１６＿ＮＯ）に、部屋に残っている3人の中の3人目（通行者Ｃ１６）がカードリーダ７のカード読取部８にカードＣ１７をかざす（ＳＴ1７）。一定時間が過ぎる（ＳＴ１６＿ＹＥＳ）と再度、ＳＴ１０からやりなおしとなる（又は終了）。カード読取部８がカードＣ１７内のカード個人識別番号Ｃ１８を読取ると、カードリーダ７のデータ通信処理装置９がカード個人識別番号Ｃ１８をコントローラ１０の中央処理装置１１へ送り、カード個人識別番号Ｃ１８と通行可否データベース１２とを照合する。
【００６６】
上記照合結果が通行不可の場合（ＳＴ１８＿ＮＯ）、一定時間内（ＳＴ１９＿ＮＯ）に再度、通行者Ｃ１６はカード読取部８にカードＣ１７をかざす。一定時間が過ぎると（ＳＴ１７＿ＹＥＳ）、再度ＳＴ１０からやりなおしとなる（又は終了）。上記照合結果が通行可の場合（ＳＴ１８＿ＹＥＳ）にはコントローラ１０内の中央処理装置１１は扉制御部１４を経由して扉１５を一時解錠させる（ＳＴ２０）。
【００６７】
同時に中央処理装置１１は通行履歴データベース１３に通行者Ａ１と通行者Ｂ４と通行者Ｃ１６の通行履歴を残す（ＳＴ２１）。通行者Ａ１、Ｂ４、Ｃ１６が退室する。コントローラ１０内の中央処理装置１１は扉制御部１４を経由して扉１５を施錠する（ＳＴ２２）。
【００６８】
実施の形態３では、退室するとき、入室したときに選択した照合手段と同じ照合手段を用いて退室しなければならない。例えば、3人照合で入室した者は、退室においても3人照合を用いなければならず、2人照合では退出できない。また、2人照合で入室した者は、3人照合で退室することはできない。そのため、高いセキュリティーレベルが確保できる反面、3人照合の使い勝手としては少々面倒となる面もあり、運用上の汎用性が低くなる面も有る。
【００６９】
一方、実施の形態４では、所定の運用条件を満足していれば、入室で選択した照合手段に縛られることなく、2人照合又は3人照合のいずれの照合手段も自由に選択して退出できるようにした。さらに、セキュリティーレベルも実施の形態３と同程度のレベルを確保したので、より汎用性が高く、かつ使い易いシステムが実現できる。そのため、目的の用途やセキュリティーレベルに応じて、実施の形態３又は実施の形態４のいずれか最適な照合手段を選択することができるので、より汎用性の高い運用が図れる。
【００７０】
また、実施の形態１又は実施の形態２における入室の動作と、実施の形態３又は実施の形態４における退室の動作とを自由に組み合わせることで、様々な用途やセキュリティーレベルに対応可能な入退室管理システムを構築することができる。そのため、人手を介することなく、汎用性が高く、より高度な3人照合による入退室管理の運用が図れる。
【００７１】
従って、上記実施の形態によれば、通行者が意図的に所定の動作をおこなうことで3人照合機能を有効にするようにしたので、通行者の安易な利用を制限することができる。また、通行者がこの3人照合機能を意図的に利用することで、システム管理者としては通行者が何らかの事情が有って利用したものとみなすことができるので、正当な理由があることを条件に機能的かつ現実的な運用が図れる。なお、システム管理者として通行者がこの3人照合機能を利用した理由の内容を確認したい場合は、通行履歴データベース１３により、本人に確認することができる。
【００７２】
なお、実施の形態１〜４において、本人であることを確認するための認証手段は、ＩＤカード以外の認証手段（例えば、指紋、静脈、顔などの生体認証手段など）であっても良い。
【図面の簡単な説明】
【００７３】
【図１】この発明の実施の形態１である入退室管理システムを示す構成図である。
【図２】図１における入室時の動作フローチャートである。
【図３】この発明の実施の形態２である入退室管理システムを示す構成図である。
【図４】図３における入室時の動作フローチャートである。
【図５】図３における入室時の動作フローチャート（図４の続き）である。
【図６】この発明の実施の形態３である入退室管理システムにおける退室時の動作フローチャートである。
【図７】この発明の実施の形態４である入退室管理システムを示す構成図である。
【図８】図７における退室時の動作フローチャートである。
【図９】図７における退室時の動作フローチャート（図８の続き）である。
【図１０】従来の入退室管理システムを示す構成図である。
【図１１】図１０における入室時の動作フローチャートである。
【符号の説明】
【００７４】
１  通行者Ａ、２  カードＡ、３  カード個人識別番号Ａ、４  通行者Ｂ、５  カードＢ、６  カード個人識別番号Ｂ、７  カードリーダ、８  カード読取部、９  データ通信処理装置、１０  コントローラ、１１  中央処理装置、 １２  通行可否データベース、１３  通行履歴データベース、１４  扉制御部、 １５  扉、１６  通行者Ｃ、１７  カードＣ、１８  カード個人識別番号Ｃ、１９  通行履歴残さないボタン、２０  在室管理データベース  
【図１】
0005256965.tif 000002
【図２】
0005256965.tif 000003
【図３】
0005256965.tif 000004
【図４】
0005256965.tif 000005
【図５】
0005256965.tif 000006
【図６】
0005256965.tif 000007
【図７】
0005256965.tif 000008
【図８】
0005256965.tif 000009
【図９】
0005256965.tif 000010
【図１０】
0005256965.tif 000011
【図１１】
0005256965.tif 000012